Podtech/llm-jp-corpus-v4-ja_patent huggingface dataset:
(57)【要約】【課題】本考案は子供用ランドセル標示器にメッセージ及び数字入子供用ランドセル標示器カードつまみ部を設ける子供用ランドセル標示器カードが選択及び出し入れしやすくしたものである。【解決手段】本考案は子供用ランドセル標示器カード１ａにメッセージ入子供用ランドセル標示器カードつまみ部３ａを設け使用者がメッセージプリント２ａ及び数字プリント４ａを参照し子供用ランドセル標示器カード１ａを選択及び出し入れしやすくしたものである。【選択図】図１
0003111357.tif 000002
【実用新案登録請求の範囲】
【請求項１】
子供用ランドセル標示器の標示器カードは標示器カード上部のつまみ部に標示メッセージのメッセージがプリントされている標示器カードつまみ部。
【考案の詳細な説明】
【０００１】本考案はメッセージ入子供用ランドセル標示器カードに標示メッセージつまみ部を設けたものである。
【背景技術】
【０００２】メッセージ入子供用ランドセル標示器カードに背景技術はなかった。
【考案が解決しようとする課題】
【０００３】メッセージ入子供用ランドセル標示器カードは複類枚格納されている。
使用者は複数枚格納されているメッセージ入子供用ランドセル標示器カードから自分の表示したいメッセージ入子供用ランドセル標示器カードを選択する必要がある。又、メッセージ入子供用ランドセル標示器カードは出入しにくい。
【課題を解決するための手段】
【０００４】本考案はメッセージ入子供用ランドセル標示器カードが平面であると複数枚あるとメッセージ入子供用ランドセル標示器カードが物理的に出入しにくいものである。又、どんな内容のメッセージが子供用ランドセル標示器カードがあるか、不明であった。それらの問題点はメッセージ入子供用ランドセル標示器カードが平面でなく突起状（ベロ）にすれば問題点は解決する。
【考案の効果】
【０００５】上述の様にメッセージ入子供用ランドセル標示器カードを突起状ベロに（平面でなく）したから出入れしやすくなり、又、突起状ベロつまみ部にメッセージ入子供用ランドセル標示器カードの内容をプリントして一目で選択しやすい様にした。これに依り、メッセージ入子供用ランドセル標示器カードは出入しやすくなり、しかも使用者は、いちいち、メッセージ入子供用ランドセル標示器カードを引っ張り出さなくても自分の表示したいメッセージ入子供用ランドセル標示器カードが選べる様になった。
【考案の実施するための最良の形態】
【０００６】子供用ランドセル標示器カードは子供用ランドセル標示器内に複数枚格納され、子供用ランドセル標示器カードつまみ部に依って通常、出入れされる。子供用ランドセル標示器つまみ部には、小さく子供用ランドセル標示器カードと同じメッセージと数字がプリントされているので、使用者は子供用ランドセル標示器カードつまみ部の小さいメッセージもしくは数字を参考にして使用者は子供用ランドセル標示器カードを選択もしくは出入れする。
【実施例】
【０００７】以下、添付図面に従って一実施例を説明する。図１の１ａは子供用ランドセル標示器カード本体で２ａは子供用ランドセル標示器カードつまみ部メッセージプリント部、３ａは子供用ランドセル標示器つまみ部本体を表わす。４ａは子供用ランドセル標示器つまみ部数字プリント部である。【０００８】図２に於いて説明すると手指８で子供用ランドセル標示器カードつまみ部３をつまみ、メッセージプリント部２もしくは数字プリント部４を参考にして選択して出入れして、子供用ランドセル６の子供用ランドセル蓋７に設けられている子供用ランドセル標示器５の子供用ランドセル標示器カード１を図１の通り子供用ランドセル標示器カード１ａを子供用ランドセル標示器カードつまみ部にプリントされているメッセージプリント２ａもしくは数字プリント４ａを見ながら選択して子供用ランドセル標示器カードつまみ部３ａをつまんで出入れし、使用する。【０００９】本考案の一実施例は上述の如き構成からなり、使用者は簡単に子供用ランドセル標示器を操作可能となる。【００１０】
【図１】
本考案の子供用ランドセル標示器カードつまみ部全体正面図である。
【図２】
本考案メッセージ入子供用ランドセル標示器つまみ部の実施例を示す全体斜視図である。
【符号の説明】
【００１１】１  子供用ランドセル標示器カード
２  子供用ランドセル標示器カードつまみ部メッセージプリント部
３  子供用ランドセル標示器カードつまみ部
４  子供用ランドセル標示器カードつまみ部数字プリント部
５  子供用ランドセル標示器本体
６  子供用ランドセル
７  子供用ランドセル蓋
８  手指
【図１】
0003111357.tif 000003
【図２】
0003111357.tif 000004
(57)【要約】      （修正有）【課題】従来の自然の流れを利用して、活性炭の層を通過させることによる浄化を人工的に水流を作ることにより、水流のないところでも水質浄化できるようにする装置に関する。【解決手段】間伐材を利用して架台を作成し、中央に太陽光から電力を得て稼動する水中ポンプを設置して、その周りの間伐材の枠に活性炭の層を作ることによりどのようなところでも水質浄化が出来る装置である。間伐材や太陽光を利用することにより、現在の環境対策に留意し、リサイクルして自然に還元できることを特徴とする。【選択図】なし【実用新案登録請求の範囲】
【請求項１】
太陽光で得られる電力を利用し、水中ポンプを稼動させ、池及び河川などの水を吸引する力を利用して、活性炭の層を通過させる装置。
【請求項２】
間伐材を利用して作成した活性炭を収納する架台。
【考案の詳細な説明】
【技術分野】
【０００１】  太陽光で得られる電力を利用し、水中ポンプを稼動させ、池及び河川などの水を吸引する力を利用して、活性炭の層を通過させることで水質浄化させるための装置に関する。
【背景技術】
【０００２】  従来の水質浄化を図る装置としては、河川等の自然の流れを利用し、活性炭の層をくぐらすことによる浄化装置しかなかった。
【考案の開示】
【考案が解決しようとする課題】
【０００３】  自然の流れを利用しなければ、活性炭の層を通過させることが出来ないため、水流のないため池のようなところでは水質浄化がされず、水流ができるのは放流の時で、浄化されないまま流出している。
【課題を解決するための手段】
【０００４】  太陽光で得られる電力を利用し、水中ポンプを稼動させ、池及び河川などの水を吸引する力を利用して、活性炭の層を通過させることで水質浄化させる。【０００５】  活性炭を収納する架台は、間伐材を利用して作成することによって、装置による水質の汚染を防ぐ効果がある。
【考案の効果】
【０００６】  水中ポンプを使用することによって、水を循環し、活性炭層を通過させることで、水質浄化を図ることが出来る。【０００７】  水中ポンプを稼動させる電力は、太陽光を利用するので、大気汚染の心配がない。【０００８】  活性炭を収納する架台は、間伐材を利用して作成することで、装置による水質の汚染を防ぐ効果がある。【０００９】  架台には水生植物を繁茂させることによって、水鳥や水棲動物の住処を提供することが出来る。
【考案を実施するための最良の形態】  間伐材を利用して架台を作成し、中央に太陽光から電力を得て稼動する水中ポンプを設置して、その周りの間伐材の枠に活性炭の層を作る。【００１０】  この装置を河川やため池などに浮かべ、水質浄化をはかるとともに、架台に水生植物を繁茂させることによって、水鳥や水棲動物の住処を提供する。
【実施例】
【００１１】  開発地の調整池や農業用ため池、河川であれば水流の穏やかなところに使用する。
0003111358.tif 000002
【手続補正書】
【提出日】平成16年12月6日(2004.12.6)
【手続補正１】
【補正対象書類名】実用新案登録請求の範囲
【補正対象項目名】全文
【補正方法】変更
【補正の内容】
【実用新案登録請求の範囲】
【請求項１】
太陽光で得られる電力を利用し、水中ポンプを稼動させ、池及び河川などの水を吸引する力を利用して、活性炭の層を通過させる装置。
【請求項２】
間伐材を利用して作成した活性炭を収納する架台を有することを特徴とする請求項１記載の装置。
【手続補正２】
【補正対象書類名】明細書
【補正対象項目名】全文
【補正方法】変更
【補正の内容】
【考案の詳細な説明】
【技術分野】
【０００１】  太陽光で得られる電力を利用し、水中ポンプを稼動させ、池及び河川などの水を吸引する力を利用して、活性炭の層を通過させることで水質浄化させるための装置に関する。
【背景技術】
【０００２】  従来の水質浄化を図る装置としては、河川等の自然の流れを利用し、活性炭の層をくぐらすことによる浄化装置しかなかった。
【考案の開示】
【考案が解決しようとする課題】
【０００３】  自然の流れを利用しなければ、活性炭の層を通過させることが出来ないため、水流のないため池のようなところでは水質浄化がされず、水流ができるのは放流の時で、浄化されないまま流出している。
【課題を解決するための手段】
【０００４】  太陽光で得られる電力を利用し、水中ポンプを稼動させ、池及び河川などの水を吸引する力を利用して、活性炭の層を通過させることで水質浄化させる。【０００５】  活性炭を収納する架台は、間伐材を利用して作成することによって、装置による水質の汚染を防ぐ効果がある。
【考案の効果】
【０００６】  水中ポンプを使用することによって、水を循環し、活性炭層を通過させることで、水質浄化を図ることが出来る。【０００７】  水中ポンプを稼動させる電力は、太陽光を利用するので、大気汚染の心配がない。【０００８】  活性炭を収納する架台は、間伐材を利用して作成することで、装置による水質の汚染を防ぐ効果がある。【０００９】  架台には水生植物を繁茂させることによって、水鳥や水棲動物の住処を提供することが出来る。
【考案を実施するための最良の形態】  間伐材を利用して架台を作成し、中央に太陽光から電力を得て稼動する水中ポンプを設置して、その周りの間伐材の枠に活性炭の層を作る。【００１０】  この装置を河川やため池などに浮かべ、水質浄化をはかるとともに、架台に水生植物を繁茂させることによって、水鳥や水棲動物の住処を提供する。
【実施例】
【００１１】  開発地の調整池や農業用ため池、河川であれば水流の穏やかなところに使用する。
【図面の簡単な説明】
【００１２】
【図１】  正面図
【図２】  平面図
【図３】  平面図（太陽パネルを外した所）
【符号の説明】
【００１３】  １      太陽光パネル
２      水中ポンプ
３      架台
４      水生植物
５      活性炭層
【手続補正３】
【補正対象書類名】図面
【補正対象項目名】全図
【補正方法】変更
【補正の内容】
【図１】
0003111358.tif 000003
【図２】
0003111358.tif 000004
【図３】
0003111358.tif 000005
【手続補正書】
【提出日】平成17年3月25日(2005.3.25)
【手続補正１】
【補正対象書類名】実用新案登録請求の範囲
【補正対象項目名】全文
【補正方法】変更
【補正の内容】
【実用新案登録請求の範囲】
【請求項１】
池及び河川などの水を太陽パネルで得られる電力を利用して水中ポンプを稼動させ、間伐材を利用した架台の中に収納された活性炭の層を通過させる装置。
(57)【要約】  社会の深刻な問題で、温暖化現象に代表される環境の悪化の一因としましてごみのの問題もあると思います。この製品は現在売られています。しかし一旦締めたら切らない限り取れません。ごみになるだけです、全国的に考えると仕事上も、また家庭の需要も見逃せないことです、これだけでも量的には、多いごみになると思います。草の根かもしれませんが、リサイクルが、叫ばれている中、ごみになる商品も沢山売られています。しかもこのようなごみが、大体一般ごみとして捨てられています。  （小さいためなかなか、分別できません。）これらがが全て、構造上再利用できるならば、相当量ごみは減ると考えられます。また、使い捨てを防げるため、購買者もお金の負担が減るとも考えられます。【課題】その、ビニールの溝や止める部位の耐久性ですが、それは今までの製品にもあてはまります。【解決手段】全体に、その素材の強度を上げることですが、柔軟性も必要です。またそのことで、コストが上がっては何にもなりません。【選択図】「図１」
0003111360.tif 000002
【実用新案登録請求の範囲】
【請求項１】
現在、売られていますビニール製の結束ファスナーは、ビニールの帯の部分に横筋が彫ってありそこに、ビニールの反対側を通すことにより、結束部でかみ合い、後ろへは、いかない構造になっている。そのためはずして再利用しようと思ってもはずすことが出来ないため、とろうと思ってもとることが出来ない。つまり再利用すりことが出来ない、そこで結束部の突起部分（ここで硬く止めることになります）に、同じビニールのつまみをつけることによりけ結束部を後ろに倒すことにより容易にはずすことが出来る。またつまみを引かない限り、今までの結束が弱くなることは無く、強度は保たれる。再利用が可能になり、省資源にもなる。ごみ問題の一助にもなると思われます。
【考案の詳細な説明】
【技術分野】
【０００１】  本考案は、今まで一旦結束するとはずせなかったファスナーをはずせて、再利用可能にしたものであります。
【背景技術】
【０００２】  今までのビニール製の結束ファスナーは、一旦締めると、切る以外はずす方法が無かった。
【考案の開示】
探したところありませんでした。
【考案が解決しようとする課題】
【０００３】  ごみ問題が、深刻になる中、またリサイクルが叫ばれる中、まだ使い捨ての商品が沢山あります、私のいっています、コード類を結束しますファスナーも一旦締めたらなかなかとれず、結局はさみ等で切って捨ててしまいます。このような問題を少しでも解決できましたらと考案いたしました。
【考案を解決するための手段】
【０００４】  一旦締めてしまったらなかかな外れない、ファスナーを簡単に外れるように締めた箇所に加工し、指一本で直ぐ外れてまた、利用できるように考えました。
【考案の効果】
【０００５】  少しでもごみの問題や利用者のお金の負担が減ります。
【考案を実施するための最良の形態】  申し訳ございません、図面をご覧頂きたく存じます。
【考案を実施するための最良の実施例】
【０００６】  仕事上でも、時間を省くため、みな切ってしまいます。ごみになるリスクや、その費用の無駄、を全国的に考えますと、膨大なものになると思います。
【実施例】
【０００７】  工事現場で一番よく使われていると思われます。ファスナーを切る時間と、この方法ではずす時間とは、あまり変わらず、時間的な無駄はないと思われままた、再利用できるため全国的に考えても、ごみになりにくいこと、大幅なコスト削減になると思われます。
【産業上の利用可能性】
【０００８】  工事現場におきましても、また家庭におきましても、ごみの減少、再利用できるため、全国的（何度も繰り返しますが）に考えましても、利用されることは、多いと思われます。
【図面の簡単な説明】
【０００９】
【図１】  構造および使い方を示した平面図であります。
【図２】  構造および使い方を示した断面図であります。
【符号の説明】
特にありません。
【図１】
0003111360.tif 000003
【図３】
0003111360.tif 000004
【手続補正書】
【提出日】平成17年2月26日(2005.2.26)
【手続補正１】
【補正対象書類名】実用新案登録請求の範囲
【補正対象項目名】請求項１
【補正方法】変更
【補正の内容】
【請求項１】
・溝と結束部の突起部分につまみを一体成型で設けることによってつまみを動かし、結束部の固定爪部分と固定溝とを離すことによってはずれ、何度でも使えるようにした結束バンド
【手続補正３】
【補正対象書類名】明細書
【補正対象項目名】０００１
【補正方法】変更
【補正の内容】
【０００１】本考案は、今まで一旦結束するとはずせなかったバンドをはずせるようにし、再利用可能にしたものです。
【手続補正４】
【補正対象書類名】明細書
【補正対象項目名】０００２
【補正方法】変更
【補正の内容】
【０００２】今までの結束バンドは、一旦締めると帯の部分を切る以外はずす方法が無かった。
【手続補正５】
【補正対象書類名】明細書
【補正対象項目名】０００３
【補正方法】変更
【補正の内容】
【０００３】ごみ問題が、深刻になる中、またリサイクルが叫ばれる中、まだ使い捨ての商品が沢山あります。各種コード類を結束しますバンドも一旦締めると、はずすことができず、結局、帯の部分を切って捨ててしまいます。後はごみになるだけです。このような問題を少しでも解決できたらと考案致しました。
【手続補正６】
【補正対象書類名】明細書
【補正対象項目名】０００４
【補正方法】変更
【補正の内容】
【０００４】一旦締めてしまったらはずせないバンドを、簡単にはずれるように締めた箇所に加工を施し、簡単に直ぐはずれて、また再利用できるように考えました。
【手続補正７】
【補正対象書類名】明細書
【補正対象項目名】０００７
【補正方法】変更
【補正の内容】
【０００７】工事現場で一番よく使われていると思われます。バンドを切る時間と、この方法ではずす時間とはあまり変わらず、時間的な無駄はないと思われます。また、再利用できるため全国的に見ましても、ごみになりにくいことで大幅なコスト削減になると思われます。
【手続補正８】
【補正対象書類名】明細書
【補正対象項目名】０００９
【補正方法】変更
【補正の内容】
【０００９】
【図１】構造の説明を記した平面図です。
【図２】構造の説明を記した側面図です。
【図３】構造の説明を記した側面の断面図です。
新しい考案部分を含めて結束部分を拡大しています。
帯の部分を短く描いております。
【図４】新規構造を加えた使用側面図です。
【符号の説明】
１  断面    ２  結束部外側    ３  つまみ（新しい考案）
４  固定爪  ５  帯    ６  固定溝
【手続補正９】
【補正対象書類名】図面
【補正対象項目名】全図
【補正方法】変更
【補正の内容】
【図１】
0003111360.tif 000005
【図２】
0003111360.tif 000006
【図３】
0003111360.tif 000007
【図４】
0003111360.tif 000008
(57)【要約】      （修正有）【課題】体力の衰えや腰痛などで腕立てふせ運動ができない人でも、腰に負担をかけないで運動できる運動器具を提供する。【解決手段】体をのせるベンチ本体１の傾きを抵抗（負荷）とし、それを持ち上げるためにベンチ本体に接続されたアーム４を押し下げることにより、連系された車輪３が移動することでベンチ本体の傾きが変わり、体が持ち上がるてこの原理を利用することを特徴とする。【選択図】図２
0003111353.tif 000002
【実用新案登録請求の範囲】
【請求項１】
体をのせるベンチ本体の傾きを抵抗（負荷）とし、それを持ち上げるためにベンチ本体に接続されたアームを押し下げることにより、連系された車輪が移動することでベンチ本体の傾きが変わり、体が持ち上がるてこの原理を利用することを特徴とする運動器具。
【考案の詳細な説明】
【技術分野】
【０００１】本考案は、てこの原理を利用した運動器具である。
【背景技術】
【０００２】従来の運動器具は、健康な人（体の不自由でない人）が筋力トレーニングを行なうために使用する器具であったが、この器具は腰痛の人や低体力者、高齢者の人達にも使用できる運動器具である。
【考案の開示】
【考案が解決しようとする課題】
【０００３】体力の衰えや腰痛などで腕立てふせ運動ができない人でも、腰に負担をかけないで運動できるように工夫した。
【課題を解決するための手段】
【０００４】本考案は、ベンチ本体に接続された握り部のアームを押し下げることにより、アームに固定された車輪が移動し、てこの原理によりベンチごと体を持ち上げる。
【考案の効果】
【０００５】高齢者や低体力者及び腰痛などで運動不足がよぎなくされている人でも、この運動器具によって胸・背・腕などを無理なく鍛えることができる。
【考案を実施するための最良の形態】
【０００６】図１に示すように、ベンチ１に腹ばいになり、グリップ２を押し下げることにより、車輪３が矢印の方向に移動し、腹ばいになったベンチ１が持ち上がる。【０００７】図２に示すように、ベンチ１にあおむけになり、グリップ５を握りアーム４を手前に引きよせることによって、グリップ２に連動された車輪３が矢印の方向に移動し、ベンチが体ごと持ち上がる。【０００８】図３に示すように、ベンチ１にひざを立て、グリップ５を握りアーム４を下に押し下げることによって、グリップ２に連動された車輪３が、矢印の方向に移動することによりベンチが体ごと持ち上がる【０００９】図４に示すように、調節つまみ６は、本体の矢印方向に上下することによって、軸うけＡを支点に本体の傾きを変えることで抵抗（負荷）を変えることもできます。調節つまみ７は腕たてふせ運動において手幅をかえられ、調整つまみ８はベンチの下降速度を調節できる。ストッパー９はベンチ１の固定スプリングになっており、パイプ１０は下降速度を制御する油圧式パイプであり、調節つまみ１１は、車輪３の位置を変えることによって運動の抵抗負荷を調節することができる。【００１０】厚み２、３ミリの鉄の角パイプと厚み１、９ミリの鉄の丸パイプを使用し、ベンチ１は木製の板の上にスポンジの様な柔かい素材のマットをはり合わせ、その上に皮製のレザーシートで包みます。各部の調節つまみは、インデックスプランジャー方式または差しピンを使用している。
【図面の簡単な説明】
【００１１】
【図１】本考案の実施例において、腹ばいによる腕立てふせ運動の図。
【図２】本考案の実施例において、あおむけによるけん垂運動の図。
【図３】本考案の実施例において、ひざ立てによる腕屈伸運動の図。
【図４】本考案の実施例において、側面図である。
【符号の説明】
【００１２】  １  ベンチ
２  グリップ
３  車輪
４  アーム
５  グリップ
６  調節つまみ
７  調整つまみ
８  調整つまみ
９  ストッパー
１０  パイプ
１１  調節つまみ
Ａ  軸うけ
Ｂ  軸うけ
【図１】
0003111353.tif 000003
【図２】
0003111353.tif 000004
【図３】
0003111353.tif 000005
【図４】
0003111353.tif 000006
【手続補正書】
【提出日】平成16年9月9日(2004.9.9)
【手続補正１】
【補正対象書類名】実用新案登録請求の範囲
【補正対象項目名】請求項１
【補正方法】変更
【補正の内容】
【請求項１】
体を乗せる台１は、軸受けＣを支店に１２０度の開きでひざ下、ひざ上に別れる。その台１は、不製の板とウレタンゴム、レザー製ビニールシートをはりあわせてある。軸受けＣは、体を乗せる台１を上下に動くための支えである。軸受けＢの間に丸パイプを貫通させ、それに車輪３を接続させる。軸受けＢを貫通させた丸パイプは、途中で９０度前方へ折り曲げてあり、その先端部にグリップ２が取り付けてある。グリップ２は、調節つまみ７によってグリップの幅を調節できる。軸受けＢは、調節つまみ１１によって車輪３を前後に移動できる。体を乗せる台１と本体フレーム１２の間に油圧制御パイプ１０を取り付ける。油圧制御パイプ１０は調節つまみ８によって強さをかえることができる。本体フレーム１２は、軸受けＡを支店に調節つまみ６によって角度を変えることができる。本体フレーム１２に接続されたストッパー９は体を乗せる台１をうけとめている。
【手続補正２】
【補正対象書類名】明細書
【補正対象項目名】００１２
【補正方法】変更
【補正の内容】
【００１２】変更、１  体を乗せる台    １０  油圧制御パイプ追加  Ｃ  軸受け    １２  本体フレーム
【手続補正３】
【補正対象書類名】図面
【補正対象項目名】図４
【補正方法】変更
【補正の内容】
【図４】
0003111353.tif 000007
【手続補正書】
【提出日】平成17年3月16日(2005.3.16)
【手続補正１】
【補正対象書類名】実用新案登録請求の範囲
【補正対象項目名】請求項１
【補正方法】変更
【補正の内容】
【請求項１】
この運動器具は、体を乗せる台に腹ばいになり、腕立てふせの姿勢をとり、台に連系されたアームを押し下げることにより、台本体をてこの作用で持ち上げる腕立てふせ補助運動器具である。
(57)【要約】【目的】テイッシュケースの携帯により、持ちたいだけの量を選び素早く携帯する事が出来、かつ、出し入れが簡単にすむこと。【構成】  テイッシュケースの底の下敷きとして発泡ポリエチレンの様に柔らかく、かつ、形状記憶する素材に布をまきテイッシュケースを作る。テイッシュケースの上部出し入れ口に、ファスナーを、取り付ける。テイッシュケースの下底部分に、ファスナーを、左右対称に、端から６〜７ｃｍの位置に取り付ける。押さえのためのマジックテープを下底部分ファスナー外側に付ける。片側は、リボン上側部分にマジックテープを取り付けたものを取り付け、リボンで巻き込む。【選択図】  図３
0003111351.tif 000002
【実用新案登録請求の範囲】
【請求項１】
（イ）テイッシュケースの底【図４】（３）の下敷きとして発泡ポリエチレンに布を被せ縫い込だ布をテイッシュケースの底部分に使用
（ロ）テイッシュケース表側中央部分横向き【図２】（１）テイッシュ取り出し口ファスナーを縫いつける。
（ハ）▲１▼
【請求項１】
（イ）裏面縦【図３】（２）片面ファスナーを縫い付ける。
（ハ）▲１▼横に▲２▼【図３】（４）面ファスナーを縫いつけたリボンと対の面ファスナーを縫いつける。
（ニ）
【請求項１】
（ロ）に（ハ）▲１▼▲２▼を取り付けた布を重ねて縫い合わす。
【考案の詳細な説明】
【考案の詳細な説明】
【産業上の利用分野】
【０００１】  この考案は、テイッシュケースの改色に関する物である。
【背景技術】
【０００２】  従来、テイッシュボックスに入っているテイッシュを、携帯に使用する場合は、テイッシュを一枚ずつ折り畳むか、まとめて４つ折りにするしかなく、畳んだ状態にしてポケットテイッシュ用カバーに入れるか、テイッシュボックスサイズの被せるケースで、持ち歩かなければならなかった。もしくは、新たにポケットテイッシュを購入していた。
【考案が解決しようとする課題】
【０００３】  したがって、テイッシュを畳まなくてもよくし、柔らかな素材でくるむことによりくしゃくしゃにならず、どこにでもいれられ、素早く収納でき、自分で使用量を選べることができ、子供やお年寄りなど安全につかいやすく携帯できるようにすること。
【課題を解決するための手段】
【０００４】  本考案を図について説明すれば、【図４】（３）テイッシュケース底部分に発泡ポリエチレンを下敷きにし縫った布が底面になり、【図２】（１）テイッシュケース上部取り出し口に、ファスナーを取り付ける。テイッシュケース下底部分、左右ともに、端から６〜７ｃｍの位置、縦に【図３】（２）片面ファスナーを取り付ける。テイッシュケース下底部分に、押さえるための【図３】（４）面ファスナー（マックテープ）付きリボンを取り付ける。
【作用】
【０００５】  本考案は、以上のような構成であるから、曲げたり折ったりしても、（３）テイッシュケース底部分発泡ポリエチレンが、テイッシュを保護し、（１）上部ファスナーよりテイッシュの出し入れが出来る。（２）裏側片面ファスナー（左右対）部分を開閉する事により、テイッシュ中央を押し上げたり、平らにしたりする事ができ、テイッシュを畳んだり、開いたりした状態に出来る。（４）リボン表側面ファスナー（対の部分）により、Ｗ型に畳んでテイッシュケースを開かないよう固定できる様にした。
【考案の効果】
【０００６】  すると、テイッシュじたいは、畳まずにすみコンパクトになり、自分で必要な量を選んで、携帯でき出し入れもしやすくなる。
（１）テイッシュ出し入れ口ファスナーを取り付ける事によりテイッシュを使用するときに、一枚一枚がテイッシュケースから取り出すように独立して出てくるようになった。その助けとして、（２）裏側片面ファスナー左右対（面ファスナーでも良い）をとりつけて、ファスナーを閉めたときに（１）テイッシュケース出し入れ口中央部分を押し上げ【図４】Ｔの字の形が逆向きになった状態を作り上げる。それにより、テイッシュを取り出すときに、取り出しやすくなった。（３）カバー底部分発泡ポリエチレン下敷きを底になる部分のぬのの中に入れた事により、テイッシュケースの中央部分を押し上げるときに立たせる役目があり、平らにしたい場合もきれいに平らに戻す効果がある。テイッシュの形状の保護も同時にできる。（４）リボン表側面ファスナー（対の部分）を取り付けたことによりＷ型に畳んだ状態を、上下から押さえてコンパクトにまとめる事が出来た。これにより、持ち運び、出し入れが、簡単にできるようになった。
【図面の簡単な説明】
【図１】本考案の正面図
【図２】本考案の上部平面図
【図３】本考案の下部裏側平面図
【図４】本考案の側面図
【図５】従来のテイッシュケースの表側正面図
【図６】従来のテイッシュケース裏側正面図
【符号の説明】
（１）表側テイッシュ出し入れ口ファスナー
（２）裏側片面ファスナー（左右対）
（３）カバー底部分発泡ポリエチレン下敷き
（４）リボン表側面ファスナー（対部分）
【図１】
0003111351.tif 000003
【図２】
0003111351.tif 000004
【図３】
0003111351.tif 000005
【図４】
0003111351.tif 000006
【図５】
0003111351.tif 000007
【図６】
0003111351.tif 000008
【手続補正書】
【提出日】平成16年6月27日(2004.6.27)
【手続補正１】
【補正対象書類名】実用新案登録請求の範囲
【補正対象項目名】全文
【補正方法】変更
【補正の内容】
【実用新案登録請求の範囲】
【請求項１】
１    テイッシュケース底の下敷きとして発泡ポリエチレンにに布を被せ縫い合わせ、表側横向き中央部分にテイッシュ取り出し口ファスナーを縫い合わせたファスナー・発泡ポリエチレンを使った携帯テイッシュケース。
２    裏面縦左右対称に片面ファスナーを縫い合わせ、裏面縦左右対称に片面ファスナーを縫い合わせた横両端外側部分に、面ファスナーを縫い合わせたリボンと対の面ファスナーを縫い合わすファスナー・発泡ポリエチレンを使った携帯テイッシュケース。
【手続補正書】
【提出日】平成16年11月5日(2004.11.5)
【手続補正１】
【補正対象書類名】実用新案登録請求の範囲
【補正対象項目名】全文
【補正方法】変更
【補正の内容】
【実用新案登録請求の範囲】
【請求項１】
テイッシュケース底の下敷きとして発泡ポリエチレンにに布を被せ縫い合わせ、表側横向き中央部分にテイッシュ取り出し口ファスナーを縫い合わせたファスナー・発泡ポリエチレンを使った携帯テイッシュケース。
【請求項２】
裏面縦左右対称に片面ファスナーを縫い合わせ、裏面縦左右対称に片面ファスナーを縫い合わせた横両端外側部分に、面ファスナーを縫い合わせたリボンと対の面ファスナーを縫い合わすファスナー・発泡ポリエチレンを使った携帯テイッシュケース。
(57)【要約】      （修正有）【課題】明示機能を保持しメンテナンスを不用とし設置及び維持費用を軽減し、又脱落防止の係止部は構造的把時力有するので誘導機能の保持に極めて有効である蓄光体管状保護材の提供。【解決手段】硬質透明な樹脂で密閉されているので、既に手すり等の設置してある通路、地下街にあっては係止部付蓄光体管状保護材のみを既存設備に並列設置する事で暗闇時における歩行者の安全誘導に寄与し、又設備費用も軽減出来る。【選択図】図１
0003111356.tif 000002
【実用新案登録請求の範囲】
【請求項１】
暗闇誘導用に使用する蓄光体を湿度、汚れ、外傷、損壊から確実に保護する硬質透明で中空部を有する管状保護材。
【請求項２】
所定位置に確実に係止固定する機能を更に有する請求１記載の管状保護材。
【考案の詳細な説明】
【技術分野】
【０００１】  本考案は暗闇に於て歩行者を安全に誘導するべく設置される蓄光体を、管材の中空部に収納保護し、更に外辺部に設けた突起係止部をもって所定位置に構造的に確実に固着し得る硬質透明の係止部付き管状保護材に関する請求。
【背景技術】
【０００２】地下街、地下室、隧道に於ては利用歩行者誘導の為に昼夜を問わず点灯し、或は停電時用に非常灯、予備電源、発電機を備えて対応を図るが、高額な設置費用と維持費を要する。蓄光形誘導設備はその性質上予備電源を必要としないが、設置後の汚染、摩耗、破損、剥離については対応不十分である。
【考案の開示】
【考案が解決しようとする課題】
【０００３】保護機能について
１．蓄光形誘導材は設置後、塵、油煙その他大気中の汚染物質、水分に侵され次第に効力を減ずる。
２．清掃等により表面が摩耗し蓄光機能を減ずる、
３．偶然或は人為的に突起物等により損傷する。
固定機能について
１．蓄光誘導材はそれ自体を基台シート等に接着埋め込み等で成型しても外圧力による剥離或は接着剤の経年変質により脱落することを免れない。
２．剥離、脱落により所定位置から移動すれば本来の誘導機能を失うに至る。
【課題を解決するための手段】
【０００４】保護機能
本考案の蓄光体管状保護材は扁平四角形のパイプ状であり中央部長手に貫通する中空部を有する。中空部の断面形状は扁平四角形であり、平板帯状の蓄光発光材シ−ト片をここに挿入し確実に把持し保護する。又中空部の両端は蓋を以て密閉し内部への汚染、浸湿、水分を確実に遮断する。
固定機能
本考案の係止部付き蓄光体管状保護材は扁平四角形でありその外周部の向き合う面に係止用の突起片を有する。突起片は扁平四角形の管状材の外辺部に長手方向へ管状材底面と同一平面になるよう一定の厚みと幅を有し、翼状に左右に平行直面状に固定片として設けられる。固定片は蓄光体管状保護材と一体となり係止部付蓄光体管状保護材となる。
【考案の効果】
【０００５】この蓄光体管状保護材は硬質樹脂である。ポリカーボネート材を素材とし、高い透明度は蓄光に必要な照度を透過し蓄光し暗闇時に発光する。
硬質樹脂であり高い硬度は外圧、切傷、衝撃、損壊に高耐性を有する。
係止部付蓄光体管状保護材を手すり図１、図２、巾木図１、図２等を取付材として進路の壁等に取り付ける時は手すり、巾木に加工される溝の底面左右に係止用突起片２ａを収受し得る凹部を設け嵌合させる。  手すり、巾木に設けられた凹部と係止用突起片凸部２ａは構造的に係止されるので経年変化は無く脱落、剥離はない。
【考案の実施する為の最良の形態】
【０００６】本考案による蓄光体管状保護材或いは係止部付蓄光体管状保護材を居住位置或は通行域に設置する時には蓄光材が平常時には明光を受け易く暗闇時には発光を目認し易い方向に向ける。
【実施例】
【０００７】設置の高さは誘導用としては目認し易い位置とし、誘導用に設ける時は凡そ床面から８００ｍｍ程度とする。誘導位置の明示の為、必要に応じて設置の方向を変えることが出来る。床面に平行を通常とするが、誘導上曲がり角、階段に接続する部位においては床面に垂直方向もしくは階段等の傾斜に合わせてもよい。
【産業上の利用可能性】
【０００８】▲１▼本考案の蓄光体管状保護材は暗闇時の誘導機能蓄光材を保護する為に効果を発揮するものであるが、設置する場所、状況等の必要に応じて誘導機能以外の用途に用いてもよい一例非常脱出用ドアの枠の四周に設けて解放部を明示する。又、複数本併設して緊急連絡通信機器の位置を示す等である。
▲２▼取り付け補助材として手すり、巾木等を用いずに直接壁面等に設置する時は当該係止部（２ａ）に不燃、不錆材よりなる懸荷部品（図３）を当接して固定してもよい。
【図面の簡単な説明】
【０００９】
【図１】  本考案の蓄光体管状保護材の断面図
【図１ａ】  本考案の蓄光体管状保護材を取付け補助材へ埋込断面図
【図２】  本考案の係止部付蓄光体管状保護材の断面図
【図２ａ】  本考案の係止部付蓄光体管状保護材を取り付け補助材へ埋込断面図
【図３】  本考案の係止部付蓄光体管状保護材を取付ける懸荷部品図
【符号の説明】
【０００１０】１．蓄光体管状保護材
２．係止部付蓄光体管状保護材
２ａ．係止部
３．中空部
４．端末蓋部
５．蓄光体シート
６．取り付け補助材（丸形手すり）
７．取り付け補助材（巾木）
８．懸荷部品
【図１】
0003111356.tif 000003
【図２】
0003111356.tif 000004
【図１ａ】
0003111356.tif 000005
【図２ａ】
0003111356.tif 000006
【図３】
0003111356.tif 000007
(57)【要約】【課題】押圧パッドの磨耗が遅く、また、押圧パッドが腰砕けにならずスムースな移動ができ、金属板の目視確認を投射中にできる成形装置を提供する。【解決手段】押圧パッドの金属板と接する部分に、滑り性素材を有し、該押圧パッドにスリットを入れ、該押圧パッドの噴射口部の胴回り寸法は中央部の胴回り寸法より小さく、該押圧パッドの近傍に外部から視認可能にする覗き窓を設けた。【選択図】図２
0003111311.tif 000002
【実用新案登録請求の範囲】
【請求項１】
金属板の主表面を、エネルギーコントロールした投射体で衝撃し、該投射体は循環機構で循環され、その主表面側に凸となるように該金属板を成形するための成形装置において、押圧パッドの該金属板と接する部分に、滑り性素材を有したことを特徴とする金属板の成形装置。
【請求項２】
金属板が凹むことにより成形された要板金修理部を、所定のエネルギーを有する投射体で凹んだ側から衝撃し、該金属板が凹む前の状態に近づくようにピーンフォーミングすることにより板金修理を行なうための成形装置おいて、押圧パッドの該金属板と接する部分に、滑り性素材を有したことを特徴とする金属板の成形装置。
【請求項３】
該押圧パッドにスリットを入れたことを特徴とする請求項１又は２記載の金属板の成形装置。
【請求項４】
該押圧パッドの噴射口部の胴回り寸法は、該押圧パッドの中央部の胴回り寸法より小さいことを特徴とする請求項１又は２記載の金属板の成形装置。
【請求項５】
押圧パッドの近傍に外部から視認可能にする覗き窓を設けたことを特徴とする請求項１又は２記載の金属板の成形装置。
【請求項６】
該覗き窓に該投射体が衝突しない様に、該覗き窓又は該押圧パッドの内側に投射体防部を設けたことを特徴とする請求項５記載の金属板の成形装置。
【考案の詳細な説明】
【技術分野】
【０００１】
本考案は、金属板の成形装置に関するものである。
【背景技術】
【０００２】
ピーンフォーミングと呼ばれる技術は、金属板に投射体（ショット）を投射した際、投射面側に凸状となるように金属板が変形する現象を利用した加工方法であり、その成形装置として、（例えば特許文献１参照）があった。
【０００３】
しかし、金属板に押圧パッドを押し当てながら移動させる場合、押圧パッドがゴム製やスポンジ製であり、スムースに滑らず、押圧パッドが磨耗したり腰砕けになり作業がしにくいという欠点があった。
【０００４】
また、容器は透明であったが、金属の形状が変化する様子をしっかりと見る事が出来ず、金属板の変化を確認するために、投射を中断していた。時には、投射体（ショット）の投射量が多すぎて、金属板の変化が予定していた形状以上に変化してしまい、余分な修正作業を必要としていた。
【特許文献１】特開２００４−１５４８１２号公報
【考案の開示】
【考案が解決しようとする課題】
【０００５】
解決しようとする問題点は、押圧パッドの磨耗が早く、また、押圧パッドが腰砕けになりスムースな移動ができない点と、金属板の目視確認を投射中にできない点である。
【課題を解決するための手段】
【０００６】
本考案は、押圧パッドに滑り性素材を配設した点と、覗き窓を設けたことを最も主要な特徴とする。
【考案の効果】
【０００７】
本考案の成形装置は、滑り性素材により押圧パッドの磨耗が遅くなり、また、押圧パッドが腰砕けにならずスムースな移動ができる利点と、投射中に金属板の目視確認ができる利点がある。
【実施例１】
【０００８】
図１は、成形装置の断面図である。成形装置１のエアガン２を操作することにより、点線で示したエア３がコンプレッサ（図示せず）より流れ、また、点線のエア４が大気より引き込まれる。エア３・４は、通気孔５より点線のエア６になり抜ける。よって、投射体（ショット）７がショット流入管８から投射されて、中空の覗き窓９及び押圧パッド１０を通り抜けて、車両の金属板の外板１１の要板金修理部１２をピーンフォーミングの原理で補修する。投射体（ショット）７は、容器１３の下部に配設されたパイプ１４を通して循環する。
【０００９】
図２は、押圧パッドと覗き窓付近の側面図及び正面図である。図２（ａ）は側面図であり、図２（ｂ）は正面図である。容器１３に覗き窓９が取り付けられ、その覗き窓９に押圧パッド１０が取り付けられている。覗き窓９は、透明又は半透明であり、投射中や投射後の要板金修理部の状況が確認できる。押圧パッド１０の金属板と接する部分に、滑り性素材１５を有している。滑り性素材１５は、押圧パッド１０に接着されているが、取り付ける方法は何でも良い。滑り性素材は、テフロン（登録商標）・布などであり素材は特定しない。また、押圧パッド１０にスリット１６が入っている。また、押圧パッド１０の噴射口部１７の胴回り寸法は押圧パッド１０の中央部１８の胴回り寸法より小さい。
【００１０】
図３は、押圧パッドと覗き窓付近の側面図である。構成は図２と同様である。外板１１の形状に軽く押し当てた状態であり、押圧パッド１０にスリット１６が入っており、また、押圧パッド１０の噴射口部１７の胴回り寸法は押圧パッド１０の中央部１８の胴回り寸法より小さいので、外板１１の形状に合わせて変形する事ができ、滑り素材１５と外板１１に隙間ができず、投射体（ショット）７が成形装置１からこぼれない。
【００１１】
図４は、押圧パッドと覗き窓付近の断面図である。容器１３に覗き窓９が取り付けられ、その覗き窓９に押圧パッド１０が取り付けられている。覗き窓９の内側には、投射体防部１９が取り付けられている。ショット流入管８から投射された投射体（ショット）７が、要板金修理部１２に衝突して、跳ね返った投射体（ショット）７が覗き窓９に衝突するのを投射体防部１９で防ぐ事ができる。よって、覗き窓９に傷が付きにくくなり、覗き窓９の透明度が保つ事ができる。また、投射体防部１９により、覗き窓９付近に投射体（ショット）７が溜まらないという効果もある。
【産業上の利用可能性】
【００１２】
自動車の板金を想定しているが、一般的な金属を成形させる用途にも適用できる。
【図面の簡単な説明】
【００１３】
【図１】成形装置の部分断面図である。
【図２】押圧パッドと覗き窓付近の側面図及び正面図である。
【図３】押圧パッドと覗き窓付近の側面図である。
【図４】押圧パッドと覗き窓付近の断面図である。
【符号の説明】
【００１４】
１    成形装置
２    エアガン
３    エア
４    エア
５    通気孔
６    エア
７    投射体（ショット）
８    ショット流入管
９    覗き窓
１０  押圧パッド
１１  外板
１２  要板金修理部
１３  容器
１４  パイプ
１５  滑り性素材
１６  スリット
１７  噴射口部
１８  中央部
１９  投射体防部
【図１】
0003111311.tif 000003
【図２】
0003111311.tif 000004
【図３】
0003111311.tif 000005
【図４】
0003111311.tif 000006
(57)【要約】【課題】  タッチコントロールパネルをファンクションキーとして使用する一体成形可能な表示器を提供する。【解決手段】  一体成形可能な表示器２００は、タッチコントロールパネルをファンクションキーからとして使用することで、該タッチコントロールパネルのタッチセンシング特性を用いる。そのため、使用者が押すための突起構造を形成する必要がなく、該表示器を一体成形とすることが可能となり、外観を美化させ、市場の要求にマッチさせることができる。【選択図】  図２
0003111317.tif 000002
【実用新案登録請求の範囲】
【請求項１】
一体成形された表示器であって、タッチコントロールパネルがファンクションキーとして使用されることを特徴とする表示器。
【請求項２】
該ファンクションキーは一つの接触式スクロールバーを含むことを特徴とする請求項１記載の表示器。
【請求項３】
該ファンクションキーは一つのメニューキーを含み、機能メニューを起動することを特徴とする請求項１記載の表示器。
【請求項４】
該ファンクションキーは一つの電源キーを含み、該表示器の電源スイッチとすることを特徴とする請求項１記載の表示器。
【考案の詳細な説明】
【技術分野】
【０００１】
本考案は表示器に関し、特にタッチコントロールパネルをファンクションキーとして使用する表示器に関するものである。
【背景技術】
【０００２】
現在の表示器は、液晶表示器（ＬＣＤ）であれ伝統的な陰極線管（ＣＲＴ）表示器であれ、皆キーが押されることで以ってファンクションキーが作動し、使用者に表示器の設定調整を提供する。図１に示すように、従来の表示器１００は、一つの液晶画面１０２及び複数個のファンクションキー１０４から１１２を含み、そのうち電源キー１１２は表示器１００の電源のオン及びオフをコントロールする。表示器１００の電源オン後、液晶画面１０２はデスクトップを表示し、使用者がメニューキー１０４を押すと、液晶画面１０２上に一つのメニュー１１４が出現し、使用者は“−”キー１０８及び“＋”キー１１０を利用することで白反転ゾーン１１６を移動させ設定したい項目を選択することが可能である。某項目を例えば音量と選択した後、確定キー１０６を押すと、液晶画面１０２には音量コントロールスクロールバー１１８が出現し、使用者は再び“−”キー１０８及び“＋”キー１１０を利用することで音量の大小を選択することが可能である。その他の機能の設定はこれにより類推できる。しかしながら、この種の表示器のファンクションキーは突起構造であってはじめて使用者が押すことができるため、一体成形の外観には到達していなかった。
従って、更なる美観のため、一体成形可能な表示器が望まれるところなのである。
【考案の開示】
【考案が解決しようとする課題】
【０００３】
本考案の目的は、タッチコントロールパネルをファンクションキーとして使用する一体成形可能な表示器を提供することにある。
【課題を解決するための手段】
【０００４】
本考案に基づく一体成形可能な表示器は、タッチコントロールパネルをファンクションキーとして使用することで、該タッチコントロールパネルのタッチセンシング特性を用いる。そのため、使用者が押すための突起構造を形成する必要がなく、該表示器を一体成形とすることが可能となり、外観を美化させ、市場の要求にマッチさせることができる。
【考案を実施するための最良の形態】
【０００５】
図２に示すように、本考案の一実施例による一体成形表示器２００は、一つの画面２０２と、１個或いは１個以上のタッチパネルで形成された数個のファンクションキー２０４から２１０とを含み、そのうち電源キー２１０は表示器２００の電源のオン及びオフをコントロールする。表示器２００の電源オン後、画面２０２がデスクトップを表示し、使用者がメニューキー２０４に触れると、画面２０２上に一つのメニュー２１２が出現し、使用者は手の指を“＋−”タッチ式スクロールバー２０８上で滑り動かすことで白反転ゾーン２１４を移動させることができる。例えば手の指を“＋”方向に向って滑り動かした際、或いは“＋”位置を一度または長く押した際、白反転ゾーン２１４は上に向って移動し、これとは反対に、手の指を“−”方向に向って滑り動かした際、或いは“−”位置を一度または長く押した際、白反転ゾーン２１４は下に向って移動する。音量などの某項目を選定した後、確定キー２０６を押すと、画面２０２に音量コントロールスクロールバー２１６が出現し、使用者は再び手の指を“＋−”タッチ式スクロールバー２０８上で滑り動かす動作で以って音量の大小を選択できる。例えば手の指を“＋”方向に向って滑り動かしたり、或いは“＋”位置を一度または長く押したりすると音量が上がることを表示し、これとは反対に、手の指を“−”方向に向って滑り動かしたり、或いは“−”位置を一度または長く押したりすると音量が下がることを表示する。その他の機能の設定はこれにより類推できる。
【０００６】
ファンクションキー２０４から２１０が１個のタッチコントロールパネルにより提供される場合、該タッチコントロールパネル上に於いてファンクションキー１個毎に１個の区域を定義し、その上に対応するファンクションキー図形を印刷或いは貼り付ける。
タッチコントロールパネルは伝統的な実体キーと比べ遥かに薄く、且つ消耗効率が比較的低いため、タッチコントロールパネルが伝統的な実体キーに替わることで、装置の厚み及び消耗効率を下げることができる。
【図面の簡単な説明】
【０００７】
【図１】従来の表示器を示す模式図である。
【図２】本考案の一実施例による一体成形表示器を示す模式図である。
【符号の説明】
【０００８】
１００  表示器、１０２  画面、１０４  メニューキー、１０６  確定キー、１０８  “−”キー、１１０  “＋”キー、１１２  電源キー、１１４  メニュー、１１６  白反転ゾーン、１１８  音量コントロールスクロールバー、２００  表示器、２０２  画面、２０４  メニューキー、２０６  確定キー、２０８  “＋−”タッチ式スクロールバー、２１０  電源キー、２１２  メニュー、２１４  白反転ゾーン、２１６  音量コントロールスクロールバー
【図１】
0003111317.tif 000003
【図２】
0003111317.tif 000004
(57)【要約】      （修正有）【課題】傘を自転車の前後部２箇所で固定することにより、安全に携行することができる。【解決手段】自転車用傘ホルダーの前部は、ハンドルの中心下部にリング状の金具をネジとナットで取り付け、そこから２枚の板バネ（傘の柄を挟む為に中心に丸みを帯びた物）を、取り付け部が回転するようにして取り付ける。後部は、サドル下部にリング状の金具をネジとナットで取り付け、それに傘の先端を差し込む為のリングを取り付け部が回転するように取り付ける。【選択図】図１
0003111380.tif 000002
【実用新案登録請求の範囲】
【請求項１】
自転車の側面に雨傘、日傘等を取り付ける為のホルダーで前後の２箇所で傘を支え携行できる器具。自転車用傘ホルダーの前部は、ハンドルの中心下部にリング状の金具をネジとナットで取り付け、そこから２枚の板バネ（傘の柄を挟む為に中心に丸みを帯びた物）を、取り付け部が回転するようにして取り付ける。
後部は、サドル下部にリング状の金具をネジとナットで取り付け、それに傘の先端を差し込む為のリングを、取り付け部が回転するように取り付ける。
【考案の詳細な説明】
【技術分野】
【０００１】  本考案は、自転車で傘を携行するための器具に関する。
【背景技術】
【０００２】  自転車に乗る時、必要のない傘は手に持って運転していた。
【考案の開示】
【考案が解決しようとする課題】
【０００３】  これでは、運転が不安定で、回転する車輪に傘を巻き込む恐れもあり危険である。
【課題を解決するための手段】
【０００４】  そこで、自転車に乗る時、不必要な傘を手で持たずに、自転車側面に、（図１）と（図２）で示すホルダーで傘の両端を固定して携行する。
【考案の効果】
【０００５】  よって、本考案の自転車用傘ホルダーで傘を固定することにより、自転車の運転は正常に両手で行えるので、安全運転につながり事故防止に役立つ。
【考案を実施するための最良の形態】
【０００６】  本考案に係る自転車用傘ホルダーは、図１に示すように、前部は２本の板バネがついたリング状の金具を、ネジとナットでハンドル中心下部に取り付け、傘の柄を板バネに挟み込んで固定する。
後部は図２に示すように、リング状の金具をネジとナットでサドル下部に固定し、それにリングを取り付け傘の先端を差し込んで使用する。
素材はサビにくい金属で、厚さは傘を２箇所で支える程度の強度があれば充分である。
【図面の簡単な説明】
【０００７】
【図１】本考案に係る自転車用傘ホルダー（前部で使用）を上面と側面から見た図である。
【図２】本考案に係る自転車用傘ホルダー（後部で使用）を上面と側面から見た図である。
【図３】本考案の自転車用傘ホルダーを実際に使用した場合の想定図である。
【符号の説明】
【０００８】１  傘の柄固定金具（板バネ）
２  ハンドル下部固定金具
３  ネジとナット
４  傘先端通しリング
５  サドル下部固定金具
【図１】
0003111380.tif 000003
【図２】
0003111380.tif 000004
【図３】
0003111380.tif 000005
【手続補正書】
【提出日】平成17年2月22日(2005.2.22)
【手続補正１】
【補正対象書類名】実用新案登録請求の範囲
【補正対象項目名】全文
【補正方法】変更
【補正の内容】
【実用新案登録請求の範囲】
【請求項１】
▲１▼自転車の側面の前後２ヶ所で、閉じた傘を固定して携行するための器具である。
▲２▼自転車の前部では、傘の柄を丸みを帯びた２枚の板バネ（ａ）で挟み固定する。
▲３▼この板バネ（ａ）を自転車に取り付けるための円形の金具と連結する。
連結部は遊びを設け板バネが回転できるようにする。
▲４▼自転車の後部では、傘の先端をリング（ｂ）に通して固定する。
▲５▼このリング（ｂ）を自転車に取り付けるための円形の金具と連結する。
連結部は遊びを設けリングが回転できるようにする。
以上の構成からなることを特徴とする自転車用傘ホルダー。